(57)【特許請求の範囲】
【請求項１】
高荷棚と、低荷棚と、左右一対をなす小刻みのピッチで多段状に固定するパレット受けを備え、入庫口に配置される荷高さ検出器によるパレット荷の高さの検出結果に基づいてスタッカークレーンによりいずれの段の一対のパレット受けに差し込むかを制御することにより物品を収容したケースを搭載したパレット荷の高さに応じて棚高さが調整可能な棚と、を有する保管庫と、
前記物品を収容したケースを搭載したパレットを前記保管庫に入庫する入庫コンベヤと、
前記保管庫から出庫した前記物品を収容したケースを搭載したパレットの前記物品をピッキングするためのピッキング表示器と、を備え、
入庫時に保管状態になっていない前記高荷棚がある場合に前記パレットへの積付段数を前記高荷棚高さに収まる高段数分とする積付け指示を行うよう制御されている
ことを特徴とするピッキング自動倉庫。
【請求項２】
ピッキング後に再入庫される前記パレットの荷の高さに対する荷高さ検出器による検出結果に基づき、前記低荷棚に格納可能な高さのパレット荷は前記低荷棚に再入庫するようさらに制御されていることを特徴とする請求項１に記載のピッキング自動倉庫。
【発明の詳細な説明】
【技術分野】
【０００１】
本発明はピッキング自動倉庫に関する。
【背景技術】
【０００２】
従来、ＪＩＳ  Ｚ  ０１０５輸送包装系列寸法に示されるように、複数の物品を収容したケースを積載するパレットは、長さ１１００ｍｍ〜１２００ｍｍ、幅１１００ｍｍ〜１０００ｍｍとする広幅パレットを用いることが主流になっている。このため、従来の自動倉庫では、保管棚の棚サイズ、パレットの入出庫ラインのコンベヤサイズの全てを、広幅パレットを受入れ可能とする広幅サイズにしている。
【発明の概要】
【発明が解決しようとする課題】
【０００３】
物品の多品種化や直送化（問屋等の中間在庫拠点を省き直接小売業の配送センターへ届ける）によるオーダーの小粒化に対し、従来の広幅パレットを基準にする自動倉庫での保管やハンドリングには以下の問題点がある。
【０００４】
広幅パレットのパレット荷が同一品種物品の荷姿を大型大重量にし、一定のスペースに多品種のパレットを保管することを困難にし、自動倉庫の設置に広いスペースを必要とする。
【０００５】
自動倉庫が広幅の保管棚やコンベヤラインで埋まり、クレーン台数の設置台数を多くできない。このため、時間当たり出庫パレット数（出庫能力）を多くできず、出荷スピードを上げることができず、配送先への納品の時間指定に対応することに困難がある。
【０００６】
広幅パレットから直接ケース単位／バラ単位のピッキングを行なおうとすると、取り出し側からみてパレットの奥行方向に手が届かず、ピッキング作業性が悪い。これを解消するためには、自動倉庫内の出荷ラインにデパレタイズ装置を設け、パレット上のケースをデパレタイズしてピッキングゾーンに供給する必要があり、自動倉庫の構成が複雑になる。
【０００７】
本発明の課題は、自動倉庫のスペースを有効に利用でき、出庫能力を上げ、ピッキング作業性を向上することにある。
【課題を解決するための手段】
【０００８】
請求項１の発明は、高荷棚と、低荷棚と、左右一対をなす小刻みのピッチで多段状に固定するパレット受けを備え、入庫口に配置される荷高さ検出器によるパレット荷の高さの検出結果に基づいてスタッカークレーンによりいずれの段の一対のパレット受けに差し込むかを制御することにより物品を収容したケースを搭載したパレット荷の高さに応じて棚高さが調整可能な棚と、を有する保管庫と、物品を収容したケースを搭載したパレットを保管庫に入庫する入庫コンベヤと、前記保管庫から出庫した物品を収容したケースを搭載したパレットの前記物品をピッキングするためのピッキング表示器と、を備え、入庫時に保管状態になっていない高荷棚がある場合に前記パレットへの積付段数を高荷棚高さに収まる高段数分とする積付け指示を行うよう制御されているピッキング自動倉庫に関するものである。
【０００９】
請求項２の発明は、請求項１の発明において更に、ピッキング後に再入庫されるパレットの荷の高さに対する荷高さ検出器による検出結果に基づき、低荷棚に格納可能な高さのパレット荷は低荷棚に再入庫するよう制御されるものである。
【発明の効果】
【００１５】
請求項１の発明によれば下記の作用がある。狭幅パレットのパレット荷は同一品種物品の荷姿を小型軽量化し、一定のスペースに多品種のパレットを保管でき、自動倉庫を狭いスペースに設置できる。
【００２１】
保管庫が高荷棚と低荷棚を備えることにより、多品種小口出荷の繰り返しにより積み付け段数が低くなった再入庫狭幅パレットを低荷棚に入れ、この低荷棚の狭幅パレットが高荷棚に入ることによる保管効率の低下を回避する。このとき、入庫時には、高荷棚への入庫を優先して狭幅パレットの積載（段数）効率の向上を図る。また、再入庫時には、低荷棚への入庫を優先して自動倉庫の保管効率の向上を図る。
【図面の簡単な説明】
【００２６】
【図１】図１は第１実施形態のピッキング自動倉庫を示す模式図である。
【図２】図２は狭幅パレットと広幅パレットを示す模式図である。
【図３】図３は第２実施形態のピッキング自動倉庫を示す模式図である。
【図４】図４は第２実施形態の保管庫を示す断面図である。
【図５】図５は第２実施形態の保管庫を示す正面図である。
【発明を実施するための形態】
【００２７】
図１は第１実施形態のピッキング自動倉庫を示す模式図、図２は狭幅パレットと広幅パレットを示す模式図、図３は第２実施形態のピッキング自動倉庫を示す模式図、図４は第２実施形態の保管庫を示す断面図、図５は第２実施形態の保管庫を示す正面図である。
【００２８】
（第１実施形態）（図１、図２）
図１のピッキング自動倉庫１０は、複数の同一品種物品を収容したケース１を狭幅サイズの狭幅パレット１１に積載し、入庫ライン３１から搬入される狭幅パレット１１を、多段多列（本実施形態では６列）をなす複数の保管棚２１を備えた狭幅パレット保管庫２０のいずれかの保管棚２１に入庫保管する。
【００２９】
狭幅パレット１１は、図２（Ａ）に示す如く、長さ×幅を例えば１３２０ｍｍ×５５０ｍｍ、１１００ｍｍ×６６０ｍｍの如くの狭幅サイズ（長さ１１００ｍｍ〜１３２０ｍｍの範囲内、幅６５０ｍｍ〜５５０ｍｍの範囲内）とし、同一品種物品について、物品をケース単位で収容するケース１の他、物品をバラ単位（１個単位）で収容するトレー、コンテナ、開封したケース等のバラ搬送容器２を混載可能としている。尚、狭幅パレット１１に対する広巾パレット１２は、図２（Ｂ）に示す如く、長さ×幅を例えば１１００ｍｍ×１１００ｍｍの如くの広幅サイズとするものである。狭幅パレット１１のパレット面積は、広幅パレット１２の６０％程度になる。
【００３０】
保管庫２０は相対する２列の保管棚２１の間に、各列の保管棚２１の棚間口に沿ってスタッカクレーン２２を配置している。
【００３１】
ピッキング自動倉庫１０は、保管庫２０の保管棚２１から出庫される狭幅パレット１１を搬出する出庫ライン３２、出庫ライン３２につながる荷仕分搬送ライン３３、荷仕分搬送ライン３３につながる再入庫ライン３４を有し、それらの各ラインに渡って狭幅パレット１１を搬送する搬送コンベヤ３５（搬送手段）を備える。
【００３２】
出庫ライン３２から荷仕分搬送ライン３３への入口にはバーコードリーダ３６が設置されており、バーコードリーダ３６は保管庫２０の各保管棚２１から出庫されて荷仕分搬送ライン３３に入る狭幅パレット１１の品種を読み取り、これを制御コンピュータに入力する。狭幅パレット１１の品種は、狭幅パレット１１やその上のケース１に付されているバーコードから読み取る。但し、バーコード以外の二次元コード、ＩＤタグ等の識別手段を用いても良い。
【００３３】
荷仕分搬送ライン３３の搬送コンベヤ３５は、出荷場（プラットホーム４０）を移動し、荷仕分搬送ライン３３の前面には配送先（店）毎に割り当てたロールボックス４２が着脱する出荷ゾーン４１が設けられる。荷仕分搬送ライン３３の搬送コンベヤ３５は、出荷ゾーン４１に割り当てられた複数、例えば２個のロールボックス４２に対し各１個をなす、複数のピッキングゾーン３７を形成する。
【００３４】
このとき、制御コンピュータは前述のバーコードリーダ３６の読み取り結果に基づき、荷仕分搬送ライン３３に入った狭幅パレット１１の品種物品を取出すべきロールボックス４２が対応配置されている各ピッキングゾーン３７に順次、当該品種の狭幅パレット１１を自動的に一次停止させる。そして、制御コンピュータは、各ピッキングゾーン３７において、出荷ゾーン４１の各ロールボックス４２に対応して設けてあるピッキング表示器４３（ケースピッキング表示器とバラピッキング表示器）に、各ピッキングゾーン３７に停止している狭幅パレット１１の品種物品の取出し数を点灯表示する。作業者がピッキング表示器４３に表示された物品数を、狭幅パレット１１のケース１のケース単位で、又はケース１もしくはバラ搬送容器２からバラ単位で対応するロールボックス４２にピッキングし、完了ボタンを押すとピッキング表示器４３は消灯する。ピッキングゾーン３７でのピッキングが完了すると、狭幅パレット１１は次のピッキングゾーン３７へと搬送される。
【００３５】
荷仕分搬送ライン３３の搬送コンベヤ３５は、狭幅パレット１１の搬送姿勢を、ピッキングゾーン３７での作業者による物品取出し側からみて奥行方向に、狭幅パレット１１の狭幅サイズが位置するようにしている。
【００３６】
荷仕分搬送ライン３３において、ピッキングゾーン３７の最終ゾーンの出側（最終端）には、狭幅パレット１１上の残物品数を表示する端末機４４（ケース残数表示器とバラ残数表示器）を備え、人手によりチェックした狭幅パレット１１上の実残数との比較により出荷検品を行なうことができる。比較結果が一致していればＯＫ入力する。不一致であれば、ピッキングゾーン３７で点灯中のピッキング表示器４３が全て消灯したピッキング作業の完了タイミングで、当該不一致品種のピッキング数量を各ピッキング表示器４３に再表示し、対応するロールボックス４２の実ピッキング数をチェックし、ピッキングミス又は在庫データミスを修正する。
【００３７】
荷仕分搬送ライン３３から再入庫ライン３４に入った狭幅パレット１１は、残数のある狭幅パレット１１であれば空の保管棚２１へ割り当てられ、空の狭幅パレット１１であれば空パレット集積装置３８が割り当てられる。
【００３８】
以下、ピッキング自動倉庫１０の出荷手順について説明する。ピッキング自動倉庫１０が例えば食品工場において、１０℃〜２℃の低温保管や、品種別の賞味期限管理（古いものから出す、同一届先に２つの賞味期限の品を出さない）を行ない、届先の指定納品時間に合わせて車単位の出荷を行なうに対し、ドライバーがプラットホーム（出荷場４０）の車単位出荷品の中から届先別にピッキング、検品、車内運搬、車積み（５〜１０件）を行ない、一定の限られた冷蔵スペースを有効かつ出荷スピードを上げるため、以下の手順により、一定スペースの自動倉庫１０を有効活用して保管量の増加と車単位届先別のピッキングを迅速・正確に行なって出荷のスピードを上げる。
【００３９】
(1)車単位届先別のオーダーを制御コンピュータは受信すると、制御コンピュータは届先別に出荷ゾーン４１のロールボックス４２を割り当て、品種別出荷総数を計算し、バッチ出荷、ピッキングデータを作成しバッチピッキングを開始する。
【００４０】
(2)保管棚２０の在庫データの中から該当品種と賞味期限（入庫日でも良い）データの古いものを出荷対象パレットとして選び出し、該当スタッカクレーン２２に対して保管棚２１の中から取り出すべき出庫棚ロケーションへの出庫指示を行なう。
【００４１】
(3)保管庫２０の保管棚２１から、スタッカクレーン２２を用いて、必要取出品種物品の狭幅パレット１１を出庫ライン３２に出庫する。出庫ライン３２から荷仕分搬送ライン３３へ搬入される狭幅パレット１１の物品品種がバーコードリーダ３６により識別され、この識別情報が制御コンピュータに送信される。
【００４２】
(4)識別情報により制御コンピュータは荷仕分搬送ライン３３の制御装置に対して届先別の出荷ゾーン４１のピッキングデータ（残数データも含む）を送信し、狭幅パレット１１をピッキングゾーン３７へと送り出す。
【００４３】
(5)荷仕分搬送ライン３３の各ピッキングゾーン３７に、当該ピッキングゾーン３７に対応するロールボックス４２に対してピッキングされるべき物品品種の狭幅パレット１１が入ると、当該狭幅パレット１１を当該ピッキングゾーン３７に一時停止し、当該ロールボックス４２のピッキング表示器４３（ケースピッキング表示器とバラピッキング表示器）にピッキング数量を点灯表示する。
【００４４】
(6)作業者はピッキング表示器４３をみて、狭幅パレット１１から必要数の物品をケース単位又はバラ単位で取出し、これをロールボックス４２に収納し、完了ボタンを押すとピッキング表示器４３が消灯する。作業者をピッキングロボットに置き換えた場合には、ピッキング表示器４３は不要になる。
【００４５】
(7)当該ピッキングゾーン３７のピッキングが完了すると、狭幅パレット１１は次のピッキングゾーン３７へと発進し、次のピッキングゾーン３７におけるピッキング表示器４３の表示に基づいてピッキングを繰り返す。
【００４６】
(8)ピッキングゾーン３７の最終ゾーンの出側に狭幅パレット１１が到着すると、端末機４４に当該狭幅パレット１１上にあるべき残物品数が表示され、人手によりチェックした実残数との比較により出荷検品を行なう。比較結果が一致していればＯＫ入力する。不一致であれば、ピッキングゾーン３７で点灯中のピッキング表示器４３が全て消灯したピッキング作業の完了タイミングで、当該不一致品種のピッキング数量を各ピッキング表示器４３に再表示して、対応するロールボックス４２の実ピッキング数をチェックし、ピッキングミスを修正する。同時に、制御コンピュータの在庫データミスがあればこれを修正することができ、棚卸し作業なしでも正確な在庫情報を得ることができる。
【００４７】
また、ピッキングゾーン３７で残数がゼロになるはずの狭幅パレット１１にケースが残っていた場合は、最終ゾーンのゼロチェック光電スイッチ４５（空パレットのやや上に位置する）が自動的に検出して不一致を知らせる。その反対に残数があるはずなのに光電スイッチ４５が何も無い（ゼロ）を検出した場合も自動的に不一致を知らせる。
【００４８】
(9)出荷検品後の狭幅パレット１１は再入庫ライン３４に入り、残数のある狭幅パレット１１はスタッカクレーン２２を用いて空の保管棚２１へ再入庫される。空になった狭幅パレット１１は空パレット集積装置３８へ入る。
【００４９】
本実施形態によれば、以下の作用がある。狭幅パレット１１のパレット荷は同一品種物品の荷姿を小型軽量化し、一定のスペースに多品種のパレットを保管でき、自動倉庫１０を狭いスペースに設置できる。
【００５０】
自動倉庫１０の保管棚２１の棚サイズやコンベヤライン３２、３３、３４のサイズを、狭幅パレット１１に対応して狭幅化でき、同一スペースに多数のクレーン２２を設置でき、時間当たり出庫パレット数（出庫能力）を多くでき、出荷スピードを上げることができ、配送先への納品の時間指定に容易に対応できる。
【００５１】
多品種小口出荷を繰り返す場合、保管庫２０からパレット単位で出庫し、必要取出数の物品を取り出した後に、残り物品のある狭幅パレット１１を再び保管庫２０へ再入庫するものとなり、保管庫２０への出し入れ頻度が多くなるが、上述(2)により多数のクレーン２２を備えることができるから、スペース生産性を上げることができる。
【００５２】
狭幅パレット１１のパレット荷の小型軽量化は、上述(2)のクレーン２２の積載容量を小型軽量化できる。
【００５３】
狭幅パレット１１の搬送姿勢をピッキングゾーン３７での物品取り出し側からみて奥行方向に狭幅サイズを位置させたから、取り出し側からパレットの奥行側に容易に手が届くようになり、ピッキング作業性を向上する。狭幅パレット１１から直接、ケース単位／バラ単位両方のピッキングを行なうことができる。
【００５４】
ピッキングゾーン３７の最終端に残数表示端末機４４を備えたから、この表示残数と、人手によりチェックした狭幅パレット１１上の実残数の比較により、出荷検品でき、出荷の信頼性を向上できる。この検品結果により、保管庫２０の在庫データを必要により修正でき、棚卸し作業によらず、保管庫２０の正確な在庫情報を得ることができる。
【００５５】
尚、ピッキング自動倉庫１０にあっては、保管庫２０の保管棚２１が、積み付け高さの高いパレット荷を収容可能とする高荷棚と、積み付け高さの低いパレット荷を収容可能とする低荷棚の両方を備えることができ、このような保管庫２０への入庫と再入庫を以下の如く行なうことができる。
【００５６】
(1)入庫品
入庫ライン３１に投入する狭幅パレット１１のパレット荷を積み付ける荷積み付け場３０で、制御コンピュータに接続されている指示手段により、狭幅パレット１１への積み付け段数をまず高荷棚高さに効率的に収まる段数分だけ積み付け指示する。指示手段は、全ての高荷棚に狭幅パレット１１が収容され、高荷棚が全て保管状態になった後に、低荷棚高さに収容する段数分の積み付け指示に変更する。制御コンピュータは、高荷棚高さに収まるように積み付けられた狭幅パレット１１を高荷棚に入庫し、低荷棚高さに収まるように積み付けられた狭幅パレット１１を低荷棚に入庫するようにスタッカクレーン２２を制御する。
【００５７】
(2)再入庫品
再入庫ライン３４から保管庫２０への再入庫品については、狭幅パレット１１のパレット荷の高さを測定する測定手段を再入庫ライン３４に設け、制御コンピュータは測定手段の測定結果に基づき、低荷棚に格納可能な高さのパレット荷は低荷棚へと優先入庫するようにスタッカクレーン２２を制御する。
【００５８】
従って、高荷棚と低荷棚を備えた保管庫２０を用いるときには、以下の作用がある。
【００５９】
保管庫２０が高荷棚と低荷棚を備えることにより、多品種小口出荷の繰り返しにより積み付け段数が低くなった再入庫狭幅パレット１１を低荷棚に入れ、この低荷棚の狭幅パレット１１が高荷棚に入ることによる保管効率の低下を回避する。このとき、入庫時には、高荷棚への入庫を優先して狭幅パレット１１の積載（段数）効率の向上を図る。また、再入庫時には、低荷棚への入庫を優先して自動倉庫１０の保管効率の向上を図る。
【００６０】
（第２実施形態）（図３〜図５）
第２実施形態が第１実施形態と異なる点は、保管庫２０の各８列の保管棚２１のうち、６列の保管棚２１を第１の保管区分１０１として用いる他に、２列の保管棚２１を第２の保管区分１０２として用いることにある。第２の保管区分１０２は、ケース内の物品をピッキングする
バラ出荷品の保管に用いることができる。
【００６１】
第１の保管区分１０１の保管棚２１に対する狭幅パレット１１の入出庫は、第１の保管区分におけると同様に、スタッカクレーン２２により出庫ライン３２、再入庫ライン３４との間で行なう。
【００６２】
第２の保管区分１０２では、複数の保管棚２１のいずれかを入庫間口５１と出庫間口５２とし、入庫間口５１と出庫間口５２に沿ってコンベヤ５３を配置し、狭幅パレット１１のパレット荷を、コンベヤ５３から入庫間口５１、スタッカクレーン２２を介していずれかの保管棚２１に入庫可能とし、いずれかの保管棚２１からスタッカクレーン２２、出庫間口５２を介してコンベヤ５３に出庫可能とする。
【００６３】
第２の保管区分１０２は、図４、図５に示す如く、入庫間口５１と出庫間口５２の前面に、コンベヤ５３の搬送レベルに対する下方待機位置と上方作業位置の間を昇降装置５４により上下する入出庫トランスファ５５（モータ５５Ａ）を備える。入出庫トランスファ５５は、下方待機位置に設定されて狭幅パレット１１をコンベヤ５３により搬送可能とし、上方作業位置に設定されて狭幅パレット１１を入庫間口５１、出庫間口５２に対して入出庫可能とする。
【００６４】
第２の保管区分１０２は、出庫間口５２の上部にケースピッキング表示器５６、バラピッキング表示器５７を備え、出庫間口５２に出庫せしめられた狭幅パレット１１から後述する第２出荷ゾーン７０に出荷すべき総物品数をそれらの表示器５６、５７に表示する。この総物品数が狭幅パレット１１のケース１からケース単位で、ケース１又はバラ搬送容器２からバラ単位でコンベヤ５３上に取り出される。尚、出庫間口５２の上部には完了ボタン５８が設けられている。
【００６５】
第２の保管区分１０２は、入庫間口５１に入庫される狭幅パレット１１のパレット荷の高さを検出する荷高さ検出器６０を有し、荷高さ検出器６０が検出したパレット荷の高さに応じて当該荷の保管先となる保管棚２１の高さＨを調整可能とする。本実施形態では、入庫間口５１の両側に設置した投受光器により荷高さ検出器６０を構成する。また、保管棚２１の両側にて左右一対をなす多数対のパレット受６１を上下に小刻みのピッチで多段状に固定してあり、スタッカクレーン２２により今回の狭幅パレット１１をいずれの段のパレット受６１に差し込むかの制御により棚高さを調整する。
【００６６】
また、第２の保管区分１０２では、前述の出荷ゾーン４１を第１出荷ゾーンとする他、コンベヤ５３の前面に第２出荷ゾーン７０を設け、第２出荷ゾーン７０に配送先（店）毎に割当てたロールボックス７１を着脱する。制御コンピュータは、第２出荷ゾーン７０の各ロールボックス７１に対応して設けてある小分けピッキング表示器７２（ケースピッキング表示器とバラピッキング表示器）に、前述の出庫間口５２に出庫せしめられた狭幅パレット１１からコンベヤ５３に取り出された総物品数の中から各ロールボックス７１に小分けすべき品種物品の取出数を点灯表示する。
【００６７】
尚、第２の保管区分１０２では、コンベヤ５３を出庫ライン３２と再入庫ライン３４のそれぞれに接続している。これにより、出庫間口５２からコンベヤ５３に出庫した狭幅パレット１１をそのまま出庫ライン３２から荷仕分搬送ライン３３に搬出し、荷仕分搬送ライン３３の各ピッキングゾーン３７でのピッキングに供した後、再入庫ライン３４からコンベヤ５３に入って入庫間口５１から再入庫し、又は空パレット集積装置３８に割当てられる。
【００６８】
以下、第１の保管区分１０１と第２の保管区分１０２を備えるピッキング自動倉庫１０の入庫手順と出庫手順について説明する。
【００６９】
（入庫）
集荷量の少ない品種を予め特定し、制御コンピュータに「優先入庫品指定」登録しておく。
【００７０】
制御コンピュータは、「優先入庫品指定」登録されている出荷量の少ない品種を第２の保管区分１０２の保管棚２１に優先入庫しておく。第２の保管区分１０２に１パレット以内の数量（Ｐ）が保管されているとき、新たに自動倉庫１０に入庫する同一品種パレット品は、第１の保管区分１０１の保管棚２１に入庫保管する。
【００７１】
「優先入庫品指定」等されている出荷量の少ない品種物品は、第２の保管区分１０２の出庫間口５２からコンベヤ５３を経て第２出荷ゾーン７０で少量ピッキングし、この第２出荷ゾーン７０でのピッキングを他の品種物品についての第１出荷ゾーン４１でのピッキングと並行して行なうことを可能とする。
【００７２】
（出庫）
(1)Ｐ＞０のときのピッキング
第２の保管区分１０２による狭幅パレット１１上の在庫数量Ｐが出荷総数Ｏより多い場合、Ｏの物品を直接当該狭幅パレット１１上から取り出す。
【００７３】
即ち、第２の保管区分１０２の出庫間口５２からコンベヤ５３に狭幅パレット１１を出庫し、ケースピッキング表示器５６、バラピッキング表示器５７の表示に基づきＯを取り出す。次に、第２出荷ゾーン７０の各ロールボックス７１の小分けピッキング表示器７２の表示に基づき、上述のＯを各ロールボックス７１に子分けする。Ｏの納品にJANコードなど付されている場合は、第２出荷ゾーン７０に付属のスキャナーによりバーコードを読みとり、小分けピッキング表示器７２を表示させて小分けすることもできる。
【００７４】
また、出荷間口５２の近辺にプリンタを置き、取出品種物品数を印字した小分けリストによって小分けすることもできる。この場合は小分けピッキング表示器７２をなくすことができる。
【００７５】
(2)Ｐ≦０のときのピッキング
第２の保管区分１０２にある狭幅パレット１１上の在庫数量Ｐより出荷総数Ｏの方が多い場合は、当該狭幅パレット１１のまま出庫間口５２からコンベヤ５３に出庫し、出庫ライン３２から荷仕分搬送ライン３３の各ピッキングゾーン３７へ搬送して狭幅パレット１１上の在庫物品を全数ピッキングする。同時に、不足分（Ｏ−Ｐ）については、パレット単位数に切り上げ算出し、算出したパレット数の狭幅パレット１１を第１の保管区分１０１から出庫し、出庫ライン３２から荷仕分搬送ライン３３の各ピッキングゾーン３７へ搬送して狭幅パレット１１上から不足数（Ｏ−Ｐ）の物品をピッキングする。
【００７６】
第２の保管区分１０２から出庫した狭幅パレット１１は空パレットにし、最終ゼロ確認した後、空パレット集積装置３８に割当てられる。
【００７７】
第１の保管区分１０１から出庫した狭幅パレット１１に余剰物品が残るようにし、余剰パレットの戻し先は第２の保管区分１０２に指定する。戻しパレットの残物品数が少なくなり、荷姿が低くなる場合に、前述の荷高さ検出器６０の検出結果に基づいて第２の保管区分１０２の保管棚２１の高さを調整し、保管効率を高めることができる。
【００７８】
第１の保管区分１０１と第２の保管区分１０２の両方から狭幅パレット１１を荷仕分搬送ライン３３に搬出したとき、搬送コンベヤ３５の第１出荷ゾーン４１と反対側に補助的ピッキング表示器８０を設け、当該狭幅パレット１１の品種物品の第２出荷ゾーン７０の各ロールボックス７１に対する総物品取出数を表示器８０の表示に従って取り出すこともできる。補助的ピッキング表示器８０により取り出された総物品数は、各ロールボックス７１の小分けピッキング表示器７２の表示に従って各ロールボックス７１に小分けされる。このとき、搬送コンベヤ３５（ピッキングゾーン３７）の両側からピッキングできるものとなる。
【００７９】
本実施形態によれば、以下の作用がある。第２の保管区分１０２において、保管庫２０の入出庫間口５１、５２から搬出した狭幅パレット１１上の物品をピッキング可能にすることにより、第１の保管区分１０１にも接続されているピッキングゾーン３７からの戻しパレットの物品残数が少ない低残数の狭幅パレット１１については、第２の保管区分１０２の保管棚２１の高さを低位に選択して保管効率を高めることができる。
【００８０】
バラ出荷品等の出荷数が少ない品種については、第２の保管区分１０２に優先入庫しておき、第２の保管区分１０２の出庫間口５２からの少量ピッキングを、第１の保管区分１０１からのピッキングと並行して行なうことにより、自動倉庫１０の稼動率を向上できる。
【００８１】
第２の保管区分１０２にある狭幅パレット１１上の在庫数量Ｐより出荷総数Ｏの方が多い場合、当該狭幅パレット１１のまま出庫し、出荷場を循環する搬送コンベヤ３５によりピッキングゾーン３７へと搬送するとともに、不足分（Ｏ−Ｐ）についてはパレット単位に切り上げられたパレット数の狭幅パレット１１を第１の保管区分１０１から出庫することにより、必要取出数等の全ての物品を第１の保管区分１０１と第２の保管区分１０２の２系統から同一のピッキングゾーン３７にまとめて集荷でき、集荷効率を向上できる。集荷のためのロールボックス４２等を唯１個等に集約してその分散を防ぐことができる。
【００８２】
ピッキングゾーン３７で、搬送コンベヤ３５の両側からピッキングできるとき、１本の搬送コンベヤ３５で多数の配送先へピッキングでき、ピッキング効率を向上できる。
【００８３】
尚、第２の保管区分１０２への「優先入庫品指定」品種としては、少量出荷品、バラ出荷の多い物品、特別に包装加工を加える物品、その他特別扱い物品等である。
【００８４】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００８５】
以上のように本発明によれば、自動倉庫のスペースを有効に利用でき、出庫能力を上げ、ピッキング作業性を向上することができる。
【符号の説明】
【００８６】
１０  ピンキング自動倉庫
１１  狭幅パレット
２０  保管庫
２１  保管棚
３２  出庫ライン
３３  荷仕分搬送ライン
３４  再入庫ライン
３５  搬送コンベヤ（搬送手段）
３７  ピッキングゾーン
４１  出荷ゾーン
４２  ロールボックス
４３  ピッキング表示器
４４  端末機
５１  入庫間口
５２  出庫間口
５３  コンベヤ
５６、５７  ピッキング表示器
６０  荷高さ検出器
７０  第２出荷ゾーン
７１  ロールボックス
７２  小分けピッキング表示器
【図１】
0005082059.tif 000002
【図２】
0005082059.tif 000003
【図３】
0005082059.tif 000004
【図４】
0005082059.tif 000005
【図５】
0005082059.tif 000006